(57)【要約】【課題】再生データの再生中にメモリカードが挿抜された場合であっても再生データを再生する際の再生品質を維持する。【解決手段】データ再生装置３００は、着脱可能な記憶媒体４０５の挿抜に応じて記憶媒体４０５へのアクセスをおこなう装置であって、判断部４０２によって記憶部４０１に格納されている再生データの再生要求があったと判断された場合に、記憶媒体４０５へのアクセスを無効にする。また、判断部４０２によって再生データの再生終了要求があったと判断された場合に、記憶媒体４０５へのアクセスを有効にする。【選択図】図４
2007257118.tif 000002
【特許請求の範囲】
【請求項１】
着脱可能な記憶媒体の挿抜に応じて当該記憶媒体へのアクセスをおこなうデータ再生装
置であって、
再生データを記憶する記憶手段と、
前記記憶手段に記憶されている再生データに関する所定の要求信号があったか否かを判
断する判断手段と、
前記判断手段によって前記記憶手段に記憶されている再生データの再生要求信号があっ
たと判断された場合に、前記記憶媒体へのアクセスを無効にするアクセス制御手段と、
を備えることを特徴とするデータ再生装置。
【請求項２】
前記アクセス制御手段は、
前記判断手段によって前記記憶手段に記憶されている再生データの再生終了要求信号が
あったと判断された場合に、前記記憶媒体へのアクセスを有効にすることを特徴とする請
求項１に記載のデータ再生装置。
【請求項３】
前記アクセス制御手段によって前記記憶媒体へのアクセスが有効となった場合に、当該
記憶媒体に関する情報を取得する情報取得手段をさらに備えたことを特徴とする請求項１
または２に記載のデータ再生装置。
【請求項４】
着脱可能な記憶媒体へのアクセスを制御するアクセス制御方法であって、
記憶手段に記憶されている再生データに関する所定の要求信号があったか否かを判断す
る判断工程と、
前記判断工程によって前記記憶手段に記憶されている再生データの再生要求信号があっ
たと判断された場合に、前記記憶媒体へのアクセスを無効にするアクセス制御工程と、
を含むことを特徴とするアクセス制御方法。
【請求項５】
請求項４に記載のアクセス制御方法の前記各工程を前記データ再生装置に実行させるこ
とを特徴とするアクセス制御プログラム。
【発明の詳細な説明】
【技術分野】
【０００１】
この発明は、メモリカードへのアクセスを制御するデータ再生装置、アクセス制御方法
およびアクセス制御プログラムに関する。
【背景技術】
【０００２】
従来より、着脱可能な記憶媒体であるメモリカードへのアクセスが可能なデータ再生装
置では、メモリカードが装置本体に挿入された場合、メモリカードへの電力の供給をおこ
なう。そして、データ再生装置は、メモリカードへのアクセスをおこなうことによって、
メモリカードの挿抜情報、挿入されたメモリカードの種別情報、メモリカードに格納され
ている再生データのデータ量および再生データのアクセス速度などの各種情報をメモリカ
ードから取得する（たとえば下記特許文献１参照。）。
【０００３】
【特許文献１】特開２００２−３５８０９８号公報
【発明の開示】
【発明が解決しようとする課題】
【０００４】
しかしながら、上述した特許文献１の従来技術のデータ再生装置では、たとえばハード
ディスクなどに格納されている映像データの再生中にメモリカードが挿入されたときには
、当該メモリカードへのアクセスがおこなわれるため、メモリカードへのアクセス処理を
実行するための負荷がＣＰＵにかかることとなる。このため、映像データを再生するため
の十分な処理が追いつかず、たとえば映像データの再生コマ落ちなどが生じ、再生品質が
低下してしまうという問題があった。
【０００５】
この発明は、上述した従来技術による問題点を解消するため、再生データの再生中にメ
モリカードが挿抜された場合であっても再生品質の低下を防ぐことができるデータ再生装
置、アクセス制御方法およびアクセス制御プログラムを提供することを目的とする。
【課題を解決するための手段】
【０００６】
上述した課題を解決するために、本発明にかかるデータ再生装置は、着脱可能な記憶媒
体の挿抜に応じて当該記憶媒体へのアクセスをおこなうデータ再生装置であって、再生デ
ータを記憶する記憶手段と、前記記憶手段に記憶されている再生データに関する所定の要
求信号があったか否かを判断する判断手段と、前記判断手段によって前記記憶手段に記憶
されている再生データの再生要求信号があったと判断された場合に、前記記憶媒体へのア
クセスを無効にするアクセス制御手段と、を備えることを特徴とする。
【０００７】
本発明のデータ再生装置によれば、記憶手段に記憶された再生データの再生要求信号が
あった場合に、記憶媒体へのアクセスを無効にすることができる。このため、記憶手段に
記憶されている再生データの再生中に記憶媒体が挿抜された場合であっても、この記憶媒
体へのアクセスをおこなわないようにすることができる。これにより、たとえば再生デー
タの再生中に記憶媒体が挿抜された場合、当該記憶媒体へのアクセス処理を実行するため
の負荷が発生しないため、再生データを再生する際の再生品質の劣化防止を図ることがで
きる。
【０００８】
また、本発明のデータ再生装置のアクセス制御手段は、前記判断手段によって前記記憶
手段に記憶されている再生データの再生終了要求信号があったと判断された場合に、前記
記憶媒体へのアクセスを有効にすることを特徴とする。
【０００９】
このため、本発明のデータ再生装置によれば、記憶手段に記憶されている再生データの
再生中に記憶媒体が挿抜された場合であっても、再生データの再生終了後に自動的に記憶
媒体へのアクセスをおこなうことができ、当該記憶媒体の挿抜を漏らすことなく検出する
ことができる。
【００１０】
また、本発明のデータ再生装置は、前記アクセス制御手段によって前記記憶媒体へのア
クセスが有効となった場合に、当該記憶媒体に関する情報を取得する情報取得手段をさら
に備えたことを特徴とする。
【００１１】
このため、本発明のデータ再生装置によれば、記憶媒体へのアクセスが無効となってい
た場合であっても、再生データの再生終了後に自動的に記憶媒体に関する情報を取得する
ことができる。これにより、データ再生装置は、再生データを再生する際の再生品質の劣
化防止を図ることができるとともに、記憶媒体に関する情報を漏らすことなく取得するこ
とができる。
【００１２】
また、本発明にかかるアクセス制御方法は、着脱可能な記憶媒体へのアクセスを制御す
るアクセス制御方法であって、記憶手段に記憶されている再生データに関する所定の要求
信号があったか否かを判断する判断工程と、前記判断工程によって前記記憶手段に記憶さ
れている再生データの再生要求信号があったと判断された場合に、前記記憶媒体へのアク
セスを無効にするアクセス制御工程と、を含むことを特徴とする。
【００１３】
このため、本発明のアクセス制御方法によれば、記憶手段に記憶された再生データの再
生要求信号があった場合に、記憶媒体へのアクセスを無効にすることができ、この再生デ
ータの再生中に記憶媒体が挿抜された場合であっても、この記憶媒体へのアクセスをおこ
なわないようにすることができる。これにより、たとえば再生データの再生中に記憶媒体
が挿抜された場合、当該記憶媒体へのアクセス処理を実行するための負荷が発生しないた
め、再生データを再生する際の再生品質の劣化防止を図ることができる。
【００１４】
また、本発明にかかるアクセス制御プログラムは、上記に記載のアクセス制御方法をコ
ンピュータに実行させることを特徴とする。
【００１５】
このため、本発明のアクセス制御プログラムによれば、このアクセス制御プログラムを
実行することにより、上述したアクセス制御方法によって得られる動作がコンピュータに
よって実現される。これにより、上述したアクセス制御方法の実現によって得られる各種
効果を奏することができる。
【発明を実施するための最良の形態】
【００１６】
以下に添付図面を参照して、この発明にかかるデータ再生装置、アクセス制御方法およ
びアクセス制御プログラムの好適な実施の形態を詳細に説明する。
【００１７】
（データ再生装置の外観）
図１−１および図１−２は、この発明の実施の形態にかかるデータ再生装置の外観を示
す説明図である。図１−１はデータ再生装置の上面図であり、図１−１において、１０１
は、ＳＤメモリカード・ＭＭＣ（マルチメディアカード）などを挿入するためのメモリカ
ードスロットであり、１０２は、ＣＦカードを挿入するＣＦカードスロットであり、１０
３は、ＣＦカードを取り出すときに押下するＣＦカードイジェクトボタンである。
【００１８】
図１−２は、データ再生装置の正面図であり、図１−２において、１０４は、操作画面
や画像データを表示する高精細液晶モニタ（たとえば３．８型）である。１０５は「Ｐｒ
ｉｎｔ」ボタンであり、この「Ｐｒｉｎｔ」ボタン１０５が印刷可能な画面で押下される
と、印刷設定画面を表示する。
【００１９】
１０６は「Ｍｅｎｕ」ボタンであり、この「Ｍｅｎｕ」ボタン１０６が押下されると、
実行できる操作項目をポップアップメニューなどで表示する。１０７は、「↑↓←→」キ
ー（４−Ｗａｙリング）であり、この４−Ｗａｙリング１０７の押下によって項目を選択
させることができる。１０８は「ＯＫ」ボタンであり、この「ＯＫ」ボタン１０８の押下
によって選択を確定する。１０９は「Ｃａｎｃｅｌ」ボタンであり、この「Ｃａｎｃｅｌ
」ボタン１０９の押下によって操作を中止して一つ前の画面に戻る。
【００２０】
１１０は「Ｄｉｓｐｌａｙ」ボタンであり、この「Ｄｉｓｐｌａｙ」ボタン１１０の押
下によって操作説明や画面の情報を表示する。１１１は「Ｈｏｍｅ」ボタンであり、この
「Ｈｏｍｅ」ボタン１１１の押下によって操作を中止して、「ホーム画面（初期メニュー
画面）」に戻す。
【００２１】
（表示内容の一例）
図２は、初期メニュー画面（ホーム画面）の表示内容を示す説明図である。図２に示す
ように、ホーム画面２００には、操作可能な処理を示すボタン（アイコンを含む）を表示
し、ユーザからの選択指示を待つ。ここで、表示されている複数のボタンの中から、所望
の操作を示すボタンを選択（タッチ）することによって、選択された操作画面に切り替わ
る。
【００２２】
具体的には、たとえばユーザは、バックアップファイルボタン２０１を選択することに
よって、後述するＨＤＤ３０４に格納されている動画データや静止画データなどに関する
各種情報を見ることができる。また、ユーザは、メモリカードボタン２０２を選択するこ
とによって、後述するメモリカード３０６に格納されている動画データや静止画データな
どに関する各種情報を見ることができる。そして、ユーザは、表示された動画データや静
止画データの各種情報の中から再生をおこなうデータを選択することができる。
【００２３】
また、ホーム画面２００の右上には、各種情報を示すアイコンが表示されており、具体
的には、Ｈｏｌｄアイコン２０３、ＳＤアイコン２０４、ＣＦアイコン２０５およびバッ
テリアイコン２０６が表示されている。Ｈｏｌｄアイコン２０３は、データ再生時などに
、データ再生装置に設けられた各種ボタンやホーム画面２００に表示されている各ボタン
の操作が無効となっているホールド状態を示すアイコンである。ＳＤアイコン２０４は、
ＳＤメモリカード・ＭＭＣが挿入されていることを示すアイコンである。ＣＦアイコン２
０５は、ＣＦカードが挿入されていることを示すアイコンである。また、バッテリアイコ
ン２０６は、データ再生装置のバッテリ残量を示すアイコンである。
【００２４】
（データ再生装置のハードウェア構成）
図３は、この発明の実施の形態にかかるデータ再生装置のハードウェア構成を示す説明
図である。図３において、データ再生装置３００は、ＣＰＵ３０１と、メモリ３０２と、
メモリコントローラ３０３と、ＨＤＤ（ハードディスクドライブ）３０４と、ＡＴＡ＿Ｉ
／Ｆ（インタフェース）３０５と、メモリカード３０６と、メモリカードＩ／Ｆ（インタ
フェース）３０７と、入力デバイス３０８と、汎用入出力制御ユニット３０９と、ビデオ
Ｉ／Ｆ（インタフェース）３１０と、ビデオデコーダ３１１と、ＬＣＤ（リキッドクリス
タルディスプレイ）３１２と、モニタ３１３と、オーディオＩ／Ｆ（インタフェース）３
１４と、オーディオデコーダ３１５と、スピーカ３１６と、ヘッドフォン３１７とからな
る。これらの構成部３０１〜３１７は、それぞれバス３２０によって接続される。
【００２５】
ここで、ＣＰＵ３０１は、メモリ３０２、ＨＤＤ３０４などに記憶されたプログラムを
実行することによって、データ再生装置３００全体を制御する。メモリ３０２は、データ
再生装置３００の基本処理プログラムなどを記憶している。メモリ３０２としては、たと
えばＲＯＭ（Ｒｅａｄ  Ｏｎｌｙ  Ｍｅｍｏｒｙ）やＳＤＲＡＭ（Ｓｙｎｃｈｒｏｎｏｕ
ｓ  Ｄｙｎａｍｉｃ  Ｒａｎｄｏｍ  Ａｃｃｅｓｓ  Ｍｅｍｏｒｙ）が用いられる。また
、メモリコントローラ３０３は、ＣＰＵ３０１の制御にしたがって、メモリ３０２に対す
るデータの読み取り／書き込みを制御する。
【００２６】
ＨＤＤ３０４は、画像データや、制御プログラムなどの各種情報を記憶する。ＨＤＤ３
０４の代わりにあるいはＨＤＤ３０４に加えて、ＤＶＤ、ＣＤ（コンパクトディスク）な
どの着脱可能な記憶媒体による記憶装置であってもよい。また、ＨＤＤ３０４はＡＴＡ＿
Ｉ／Ｆ３０５によってＣＰＵ３０１と接続されており、このＡＴＡ＿Ｉ／Ｆ３０５により
、ＨＤＤ３０４に格納されているデータの読み出しおよび書き込みをおこなう。
【００２７】
メモリカード３０６は、着脱可能な記憶媒体であり、画像データや音声データなどの各
種情報を記憶する。また、メモリカード３０６は、メモリカードＩ／Ｆ３０７によってＣ
ＰＵ３０１と接続されており、このメモリカードＩ／Ｆ３０７によってメモリカード３０
６に格納されているデータの読み出しおよび書き込みをおこなうことができる。たとえば
メモリカード３０６に格納されているデータを読み出して、ＨＤＤ３０４にコピーするこ
とができる。
【００２８】
メモリカード３０６としては、たとえば、電力供給をおこなっていない状態であっても
記憶されているデータが消えないフラッシュメモリと、外部との入出力をおこなうコント
ローラ回路とを備えたＣＦカード、ＳＤメモリカードおよびマルチメディアカードなどが
用いられる。
【００２９】
入力デバイス３０８は、文字、数値、各種指示などの入力のための、たとえば図１−２
に示すような各種ボタンによって構成されている。また、汎用入出力制御ユニット３０９
は、入力デバイス３０８からの入出力を制御する。
【００３０】
ビデオＩ／Ｆ３１０は、ビデオデコーダ３１１を介してＬＣＤ３１２およびモニタ３１
３と接続される。このビデオＩ／Ｆ３１０は、たとえば、ＬＣＤ３１２およびモニタ３１
３の全体の制御をおこなうグラフィックコントローラと、即時表示可能な画像情報を一時
的に記録するＶＲＡＭ（Ｖｉｄｅｏ  ＲＡＭ）などのバッファメモリと、ＬＣＤ３１２お
よびモニタ３１３を表示制御する制御ＩＣなどによって構成される。具体的には、ビデオ
Ｉ／Ｆ３１０は、グラフィックコントローラから出力された画像データをビデオデコーダ
３１１によって復号化し、その復号化した画像データに基づいて、ＬＣＤ３１２およびモ
ニタ３１３を表示制御する。
【００３１】
ＬＣＤ３１２は、点灯または点滅することによって、ユーザにデータ再生装置３００の
状態あるいはユーザへ所定の情報（たとえば警告情報など）を告知する。また、モニタ３
１３は、液晶を利用した高精細な液晶ディスプレイであり、たとえばアイコン、カーソル
、メニュー、ウインドウ、あるいは文字や画像などの各種データを表示する。
【００３２】
オーディオＩ／Ｆ３１４は、オーディオデコーダ３１５を介してスピーカ３１６および
ヘッドフォン３１７に接続される。具体的には、オーディオＩ／Ｆ３１４から出力された
音声データをオーディオデコーダ３１５によって復号化し、スピーカ３１６およびヘッド
フォン３１７から音声出力する。
【００３３】
（データ再生装置の機能的構成）
図４は、この発明の実施の形態にかかるデータ再生装置の機能的構成を示すブロック図
である。図４に示すように、実施の形態にかかるデータ再生装置３００は、記憶部４０１
と、判断部４０２と、アクセス制御部４０３と、情報取得部４０４とを含む構成となって
おり、着脱可能な記憶媒体４０５の挿抜に応じて記憶媒体４０５へのアクセスをおこなう
。具体的には、データ再生装置３００は、記憶媒体４０５が挿入されたり、挿入されてい
る記憶媒体４０５が抜去されるごとに記憶媒体４０５へアクセスする。
【００３４】
ここで、アクセスとは、データ再生装置３００と記憶媒体４０５との間で、再生データ
などの各種データを転送することができる状態にすることである。たとえば、データ再生
装置３００は、メモリカードＩ／Ｆ３０７を介してメモリカード３０６にアクセスするこ
とによって、メモリカード３０６に記憶されている再生データなどの各種データの読み出
しをおこなうことができる状態にする。なお、挿入されている記憶媒体４０５が抜去され
た場合は、記憶媒体４０５が抜去されたことを示す情報がＣＰＵ３０１に転送される。
【００３５】
記憶部４０１は、再生データを記憶する。ここで、再生データとは、動画データや音声
データであってもよい。また、静止画のいわゆる「スライドショー」などであってもよい
。
【００３６】
判断部４０２は、記憶部４０１に記憶されている再生データに関する所定の要求信号が
あったか否かを判断する。ここで、再生データに関する所定の要求信号とは、再生データ
の再生要求、再生終了要求、他の再生データの再生要求などを要求する信号を含む。
【００３７】
アクセス制御部４０３は、判断部４０２によって記憶部４０１に記憶されている再生デ
ータの再生要求があったと判断された場合に、記憶媒体４０５へのアクセスを無効にする
。ここで、記憶媒体４０５へのアクセスを無効にするとは、データ再生装置３００と記憶
媒体４０５との間で、再生データなどの各種データを転送することができない状態にする
ことである。
【００３８】
また、アクセス制御部４０３は、判断部４０２によって記憶部４０１に記憶されている
再生データの再生終了要求があったと判断された場合に、記憶媒体４０５へのアクセスを
有効にする。具体的には、記憶部４０１に記憶されている再生データの再生要求があった
ため、記憶媒体４０５へのアクセスが無効となっているときに、当該再生データの再生終
了要求があった場合は、記憶媒体４０５へのアクセスを有効にする。
【００３９】
情報取得部４０４は、アクセス制御部４０３によって記憶媒体４０５へのアクセスが有
効となった場合に、記憶媒体４０５に関する情報を取得する。ここで、記憶媒体４０５に
関する情報とは、データ再生装置３００に記憶媒体４０５が挿入されているか否かを示す
挿抜情報、記憶媒体４０５に記憶されている再生データの再生方式および再生データのデ
ータ量を示す情報などを含む。
【００４０】
以上説明したデータ再生装置３００の機能的構成である記憶部４０１は、具体的には、
たとえば図３に示したメモリ３０２、ＨＤＤ３０４によって、判断部４０２と、アクセス
制御部４０３と、情報取得部４０４とは、図３に示したＣＰＵ３０１がメモリ３０２やＨ
ＤＤ３０４などに記憶されたプログラムを実行することによって、記憶媒体４０５は、図
３に示したメモリカード３０６によって、それぞれその機能を実現する。
【００４１】
（データ再生装置の処理の手順）
図５は、この発明の実施の形態にかかるデータ再生装置の処理の手順を示すフローチャ
ートである。図５のフローチャートにおいて、まず、データ再生装置３００は、ＨＤＤ３
０４に格納されている再生データの再生要求が発生したか否かを判断する（ステップＳ５
０１）。再生要求は、たとえばユーザが入力デバイス３０８を操作したり、外部装置から
の信号（有線による信号、無線による信号のいずれも含む）を取得することによって発生
する。
【００４２】
具体的には、たとえばユーザは、ホーム画面２００（図２参照）に表示されているバッ
クアップファイルボタン２０１を選択（タッチ）することによって、ＨＤＤ３０４に格納
されている各種再生データを確認することができ、表示された各種再生データの中から再
生をおこなう再生データを選択することができる。このとき、ユーザによってＨＤＤ３０
４に格納された再生データが選択され、「Ｄｉｓｐｌａｙ」ボタン１１０（図１−２参照
）が押下された場合に、データ再生装置３００は、ＨＤＤ３０４に格納されている再生デ
ータの再生要求が発生したと判断することができる。
【００４３】
ステップＳ５０１においてＨＤＤ３０４に格納されている再生データの再生要求が発生
するのを待って、再生要求が発生した場合（ステップＳ５０１：Ｙｅｓ）は、メモリカー
ド３０６へのアクセスを無効にする（ステップＳ５０２）。具体的には、たとえばメモリ
カード３０６へのアクセスを無効にするとは、メモリカード３０６へのアクセス処理をＣ
ＰＵ３０１に実行させないようにすることであり、ＣＰＵ３０１にアクセス処理に関する
負荷をかけないことを示している。
【００４４】
そして、ＨＤＤ３０４に格納されている再生データを再生する（ステップＳ５０３）。
ここで、再生データを再生するとは、通常の再生データの再生、現在再生中の再生データ
のいわゆる早送り（倍速再生やスキップ再生など）および巻き戻し（リターン再生）など
を含む。
【００４５】
つぎに、ＨＤＤ３０４に格納されている再生データの再生終了要求が発生したか否かを
判断する（ステップＳ５０４）。再生終了要求とは、再生データの再生時間が経過した際
に発生する終了要求や、たとえば再生データの再生中にユーザが入力デバイス３０８を操
作したり外部装置からの信号（有線による信号、無線による信号のいずれも含む）を取得
することによっておこなわれる停止要求、一時停止要求などを含む。
【００４６】
ここで、ＨＤＤ３０４に格納されている再生データの再生終了要求が発生した場合（ス
テップＳ５０４：Ｙｅｓ）は、メモリカード３０６へのアクセスを有効にする（ステップ
Ｓ５０５）。ここで、メモリカード３０６へのアクセスを有効にするとは、メモリカード
３０６へのアクセス処理をＣＰＵ３０１に実行させることであり、アクセス処理に関する
負荷をＣＰＵ３０１にかけることを示している。
【００４７】
また、ステップＳ５０４においてＨＤＤ３０４に格納されている再生データの再生終了
要求が発生していない場合（ステップＳ５０４：Ｎｏ）は、ステップＳ５０３に戻り、本
フローチャートの一連の処理を繰り返しおこなう。
【００４８】
つぎに、データ再生装置３００のＳＤ／ＭＭＣカードスロット１０１やＣＦカードスロ
ット１０２に、着脱可能な記憶媒体であるＣＦカードやＳＤメモリカード／ＭＭＣなどの
メモリカード３０６が挿入されているか否かを判断する（ステップＳ５０６）。
【００４９】
ここで、データ再生装置３００にメモリカード３０６が挿入されている場合（ステップ
Ｓ５０６：Ｙｅｓ）は、図示しない電源制御ユニットによってバッテリからの電力をメモ
リカード３０６に供給し、メモリカード３０６に関するメモリカード情報を読み出す（ス
テップＳ５０７）。
【００５０】
具体的には、たとえばデータ再生装置３００は、ＣＰＵ３０１によって、挿入されたメ
モリカード３０６がフォーマットされているか、ライトプロテクトされたメモリカード３
０６が挿入されていないかなどを判断する。そして、ＣＰＵ３０１によって正常にアクセ
ス可能なメモリカード３０６が挿入されていると判断した場合に、メモリカードＩ／Ｆ３
０７を介してメモリカード３０６からメモリカード情報を読み出す。ここで、メモリカー
ド情報とは、メモリカード３０６に記憶されている再生データの再生方式や再生データの
データ量を示す情報などを含む。
【００５１】
なお、ＣＰＵ３０１によって正常にアクセスすることができないメモリカード３０６が
挿入されていると判断した場合は、その旨をユーザに提示する構成としてもよい。具体的
には、たとえばフォーマットされていないメモリカード３０６が挿入されている場合には
、「このメモリカードは使用できません。メモリカードが壊れているか、フォーマットさ
れていない可能性があります。」などのメッセージをモニタ３１３に表示してユーザに提
示する。
【００５２】
つぎに、ステップＳ５０７において読み出したメモリカード情報をＣＰＵ３０１に転送
して（ステップＳ５０８）、本フローチャートによる一連の処理を終了する。
【００５３】
また、ステップ５０６において、データ再生装置３００にメモリカード３０６が挿入さ
れていない場合（ステップＳ５０６：Ｎｏ）は、メモリカード３０６がデータ再生装置３
００に挿入されていないことを示すメモリカード抜去情報をＣＰＵ３０１に転送し（ステ
ップＳ５０９）、本フローチャートによる一連の処理を終了する。
【００５４】
以上説明したように、この発明にかかる実施の形態のデータ再生装置３００によれば、
ＨＤＤ３０４に格納されている再生データの再生要求があった場合は、メモリカード３０
６へのアクセスを無効にすることができる。このため、データ再生装置３００は、ＨＤＤ
３０４に格納されている再生データの再生中にメモリカード３０６が挿抜された場合であ
っても、メモリカード３０６へのアクセスをおこなわないようにすることができる。これ
により、たとえば再生データの再生中にメモリカード３０６が挿抜された場合、メモリカ
ード３０６へのアクセス処理を実行するためのＣＰＵ３０１にかける負荷が発生しないた
め、再生データを再生する際の再生品質の劣化防止を図ることができる。
【００５５】
また、データ再生装置３００は、ＨＤＤ３０４に格納されている再生データの再生中に
メモリカード３０６が挿抜された場合であっても、再生データの再生終了後に自動的にメ
モリカード３０６へのアクセスをおこなうため、メモリカード３０６の挿抜を漏らすこと
なく検出することができ、挿抜情報をＣＰＵ３０１に転送することができる。
【００５６】
さらに、データ再生装置３００は、メモリカード３０６へのアクセスが無効となってい
た場合であっても、再生データの再生終了後にメモリカード３０６が挿入されている場合
は、メモリカード３０６へ電力を供給し、メモリカード３０６に関するメモリカード情報
を読み出すことができる。このため、データ再生装置３００は、ＨＤＤ３０４に格納され
ている再生データを再生する際の再生品質の劣化防止を図ることができるとともに、再生
中に挿抜されたメモリカード３０６に関するメモリカード情報を漏らすことなく読み出す
ことができ、メモリカード情報をＣＰＵ３０１などに転送することができる。
【００５７】
なお、本実施の形態で説明したデータ再生装置３００に実行させるアクセス制御方法は
、あらかじめ用意されたプログラムをパーソナル・コンピュータやワークステーションな
どのコンピュータで実行することにより実現することができる。このプログラムは、ハー
ドディスク、フレキシブルディスク、ＣＤ−ＲＯＭ、ＭＯ、ＤＶＤなどのコンピュータで
読み取り可能な記録媒体に記録され、コンピュータによって記録媒体から読み出されるこ
とによって実行される。またこのプログラムは、インターネットなどのネットワークを介
して配布することが可能な伝送媒体であってもよい。
【図面の簡単な説明】
【００５８】
【図１−１】実施の形態にかかるデータ再生装置の外観を示す説明図（上面図）。
【図１−２】実施の形態にかかるデータ再生装置の外観を示す説明図（正面図）。
【図２】初期メニュー画面（ホーム画面）の表示内容を示す説明図。
【図３】実施の形態にかかるデータ再生装置のハードウェア構成を示す説明図。
【図４】実施の形態にかかるデータ再生装置の機能的構成を示すブロック図。
【図５】実施の形態にかかるデータ再生装置の処理の手順を示すフローチャート。
【符号の説明】
【００５９】
３００  データ再生装置、３０１  ＣＰＵ、３０２  メモリ、３０４  ＨＤＤ、３０５
ＡＴＡ＿Ｉ／Ｆ、３０６  メモリカード、３０７  メモリカードＩ／Ｆ、４０１  記憶
部、４０２  判断部、４０３  アクセス制御部、４０４  情報取得部、４０５  記憶媒体
【図１−１】
2007257118.tif 000003
【図１−２】
2007257118.tif 000004
【図２】
2007257118.tif 000005
【図３】
2007257118.tif 000006
【図４】
2007257118.tif 000007
【図５】
2007257118.tif 000008